(57)【特許請求の範囲】
【請求項１】
無線送受信ユニット（ＷＴＲＵ）であって、
データを送信および受信するように構成された送受信機と、
前記ＷＴＲＵが無線ネットワークにアタッチされていない間に、前記無線ネットワークに提供される長さを有する間隔で、トリガイベントに対して、前記無線ネットワークのセルのページングチャネルを監視し、前記間隔は、前記ＷＴＲＵがいまだに前記無線ネットワークにアタッチされている間にスリープモードに入るために、前記ＷＴＲＵに割り当てられる不連続受信間隔よりも長い不連続受信周期間隔であり、ならびに、
前記ページングチャネルが監視されている間に前記トリガイベントが検出されたという条件で、前記無線ネットワークへの前記ＷＴＲＵのアタッチを開始する
ように前記ＷＴＲＵを制御するように構成されたプロセッサと
を備えたことを特徴とするＷＴＲＵ。
【請求項２】
前記ＷＴＲＵは、マシンツーマシン（Ｍ２Ｍ）タイプ通信を介して通信するように構成されていることを特徴とする請求項１に記載のＷＴＲＵ。
【請求項３】
前記トリガイベントは、前記ＷＴＲＵが前記無線ネットワークにアタッチして、Ｍ２Ｍサーバにデータを送信する要求を含んでいることを特徴とする請求項１に記載のＷＴＲＵ。
【請求項４】
前記トリガイベントは、システム情報ブロック（ＳＩＢ）メッセージに含まれていることを特徴とする請求項１に記載のＷＴＲＵ。
【請求項５】
前記送受信機は、前記ＷＴＲＵが前記無線ネットワークにアタッチされていない間に前記ＷＴＲＵが新たなセルにキャンプオンするとき、セルの少なくとも１つに対するブロードキャストチャネルおよびネットワーク情報を監視するようにさらに構成されていることを特徴とする請求項１に記載のＷＴＲＵ。
【請求項６】
前記送受信機は、前記ＷＴＲＵが前記ネットワークにアタッチされていない間に前記新たなセルがトリガリングをサポートするかに関する情報に対して前記ブロードキャストチャネルを監視するようにさらに構成されており、
前記プロセッサは、前記ＷＴＲＵが前記ネットワークにアタッチされていない間に前記新たなセルがトリガリングをサポートしないという条件で、異なるセルにキャンプオンし、および、前記ＷＴＲＵが前記ネットワークにアタッチされていない間に前記新たなセルがトリガリングをサポートするという条件で、前記新たなセルの前記ブロードキャストチャネルを監視することを継続するように前記ＷＴＲＵを制御するようにさらに構成されている
ことを特徴とする請求項５に記載のＷＴＲＵ。
【請求項７】
前記送受信機は、デタッチ要求メッセージにおいて、前記間隔の前記長さに関する情報を前記無線ネットワークに送信するようにさらに構成されており、前記無線ネットワークは、発展型パケットシステムであることを特徴とする請求項１に記載のＷＴＲＵ。
【請求項８】
前記送受信機は、国際移動体加入者識別番号デタッチインジケーションメッセージにおいて、前記間隔の前記長さに関する情報を前記無線ネットワークに送信するようにさらに構成されており、前記無線ネットワークは、回線交換ネットワークであることを特徴とする請求項１に記載のＷＴＲＵ。
【請求項９】
前記送受信機は、前記ＷＴＲＵが前記無線ネットワークからデタッチするという条件で、トラッキング、ルーティング、およびロケーションエリア更新プロシージャの少なくとも１つの間、前記間隔の前記長さに関する情報を、適用されることになる新たな不連続受信情報として前記無線ネットワークに送信するようにさらに構成されていることを特徴とする請求項１に記載のＷＴＲＵ。
【請求項１０】
無線送受信ユニット（ＷＴＲＵ）において実行される方法であって、
前記ＷＴＲＵが無線ネットワークにアタッチされていない間に、前記無線ネットワークに提供される長さを有する間隔で、トリガイベントに対して、前記無線ネットワークのセルのページングチャネルを監視するステップであって、前記間隔は、前記ＷＴＲＵがいまだに前記無線ネットワークにアタッチされている間にスリープモードに入るために、前記ＷＴＲＵに割り当てられる不連続受信間隔よりも長い不連続受信周期間隔である、ステップと、
前記ページングチャネルが監視されている間に前記トリガイベントが検出されたという条件で、前記無線ネットワークへの前記ＷＴＲＵのアタッチを開始するステップと
を備えたことを特徴とする方法。
【請求項１１】
デタッチ要求メッセージにおいて、前記間隔の前記長さに関する情報を前記無線ネットワークに送信するステップをさらに備え、前記無線ネットワークは、発展型パケットシステムであることを特徴とする請求項１０に記載の方法。
【請求項１２】
国際移動体加入者識別番号デタッチインジケーションメッセージにおいて、前記間隔の前記長さに関する情報を前記無線ネットワークに送信するステップをさらに備え、前記無線ネットワークは、回線交換ネットワークであることを特徴とする請求項１０に記載の方法。
【請求項１３】
前記ＷＴＲＵが前記無線ネットワークからデタッチするという条件で、トラッキング、ルーティング、およびロケーションエリア更新プロシージャの少なくとも１つの間、前記間隔の前記長さに関する情報を、適用されることになる新たな不連続受信情報として前記無線ネットワークに送信するステップをさらに備えたことを特徴とする請求項１０に記載の方法。
【請求項１４】
前記トリガイベントは、前記ＷＴＲＵが前記無線ネットワークにアタッチして、Ｍ２Ｍサーバにデータを送信する要求を含んでいることを特徴とする請求項１０に記載の方法。
【請求項１５】
前記トリガイベントは、システム情報ブロック（ＳＩＢ）メッセージに含まれていることを特徴とする請求項１０に記載の方法。
【請求項１６】
前記ＷＴＲＵが前記無線ネットワークにアタッチされていない間に前記ＷＴＲＵが新たなセルにキャンプオンするとき、セルの少なくとも１つに対するブロードキャストチャネルおよびネットワーク情報を監視するステップをさらに備えたことを特徴とする請求項１０に記載の方法。
【請求項１７】
前記ブロードキャストチャネルを監視する前記ステップは、前記ＷＴＲＵが前記ネットワークにアタッチされていない間に前記新たなセルがトリガリングをサポートするかに関する情報に対して前記ブロードキャストチャネルを監視するステップをさらに含み、
前記方法は、前記ＷＴＲＵが前記ネットワークにアタッチされていない間に前記新たなセルがトリガリングをサポートしないという条件で、前記ＷＴＲＵが異なるセルにキャンプオンし、および、前記ＷＴＲＵが前記ネットワークにアタッチされていない間に前記新たなセルがトリガリングをサポートするという条件で、前記新たなセルの前記ブロードキャストチャネルを監視することを継続するステップをさらに備えたことを特徴とする請求項１６に記載の方法。
【発明の詳細な説明】
【技術分野】
【０００１】
本発明は、無線通信技術に関する。
【０００２】
本出願は、２０１０年１２月２８出願された米国仮特許出願第６１／４２７，７０３号の利益を主張し、その内容は、参照によって本明細書に組み込まれる。
【背景技術】
【０００３】
マシンツーマシン（Ｍ２Ｍ）タイプのデバイスなど、無線送受信ユニット（ＷＴＲＵ）は、デタッチ状態で動作可能となる場合がある。デタッチ状態にあるＷＴＲＵは、無線ネットワークにアタッチされていない場合がある。例として、第三世代パートナーシッププロジェクト（３ＧＰＰ）ＴＳ２３．０６０標準は、異なるタイプのＷＴＲＵを、デタッチ状態にすることができる特徴を提供する。
【０００４】
Ａ／Ｇｂモード（すなわち、無線アクセスネットワーク（ＲＡＮ）とコアネットワークとの間のＡインターフェースまたはＧｂインターフェースの使用にしたがった機能分割を有する）において動作するＧｌｏｂａｌ  Ｓｙｓｔｅｍ  ｆｏｒ  Ｍｏｂｉｌｅ  Ｃｏｍｍｕｎｉｃａｔｉｏｎ（ＧＳＭ：登録商標）タイプのＷＴＲＵでは、ＩＤＬＥ状態にあるＷＴＲＵは、モビリティ管理にアタッチされず、ＷＴＲＵおよびコアネットワークのサービング汎用パケット無線サービス（ＧＰＲＳ）サポートノード（ＳＧＳＮ）は、ＷＴＲＵに関する有効なロケーションまたはルーティング情報を保持せず、およびＷＴＲＵ関連のモビリティ管理プロシージャが実行されない。ＷＴＲＵは、公衆移動通信網（ＰＬＭＮ）選択、さらにまた、セル選択および再選択を実行する場合があるが、データを送信または受信しない場合があり、ならびに無線ネットワークによって、ページングされない場合がある。言い換えると、ＷＴＲＵは、デタッチ状態においては、到着可能としては見られない。
【発明の概要】
【発明が解決しようとする課題】
【０００５】
Ｉｕモード（すなわち、ＲＡＮとコアネットワークの間とのＩｕ回線交換（Ｉｕ−ＣＳ）またはＩｕパケット交換（Ｉｕ−ＰＳ）インターフェースの使用にしたがった機能分割を有する）で動作するユニバーサル移動体通信サービス（ＵＭＴＳ）タイプのＷＴＲＵでは、ＷＴＲＵは、ＳＧＳＮまたは第３世代（３Ｇ）−ＳＧＳＮと通信できない場合がある。ＷＴＲＵもＳＧＳＮコンテキストも、どちらもＷＴＲＵに対する有効なロケーションまたはルーティング情報を保持しない。デバイスモビリティ管理の状態機械は、３Ｇ−ＳＧＳＮに関連するシステム情報に対して反応しない場合がある。言い換えると、ＷＴＲＵは、３Ｇ−ＳＧＳＮによる到着が可能でない、というのは、デバイスのロケーションが、知られていないからである。
【課題を解決するための手段】
【０００６】
無線送受信ユニット（ＷＴＲＵ）およびＷＴＲＵにおいて実行される方法を説明する。方法は、ＷＴＲＵが無線ネットワークにアタッチされていない間に、トリガイベントに対して無線ネットワークのセルのブロードキャストチャネルをモニタするステップを含む。ＷＴＲＵは、ブロードキャストチャネルがモニタされている間に、トリガイベントが検出されるという条件下で、ＷＴＲＵの無線ネットワークへのアタッチを開始する。別の方法は、ＷＴＲＵが無線ネットワークにアタッチされていない間に、無線ネットワークに提供される長さを有する間隔で、トリガイベントに対して無線ネットワークのセルのページングチャネルをモニタするステップを含む。ＷＴＲＵは、ページングチャネルがモニタされている間に、トリガイベントが検出されるという条件下で、ＷＴＲＵの無線ネットワークへのアタッチを開始する。
【図面の簡単な説明】
【０００７】
添付図面とともに例として与える下記の詳細な説明から、より詳細な理解を得ることができる。
【図１Ａ】１つまたは複数の開示する実施形態を実装することができる、例示的な通信システムのシステム図である。
【図１Ｂ】図１Ａに示す通信システム内で使用することができる例示的な無線送受信ユニット（ＷＴＲＵ）のシステム図である。
【図１Ｃ】図１Ａに示す通信システム内で使用することができる例示的な無線アクセスネットワークおよび例示的なコアネットワークのシステム図である。
【図２】ブロードキャストチャネルを介して、ＷＴＲＵが無線ネットワークのセルへアタッチすることをトリガする例を示すブロック図である。
【図３】ＷＴＲＵにおいて実装することができる方法を示すフローチャートである。
【図４】Ｍ２Ｍサーバが、Ｇｉインターフェースを介して、１つまたは複数のＷＴＲＵをトリガする方法を示す信号図である。
【図５】Ｍ２Ｍサーバが、ポリシーおよび課金制御（ＰＣＣ：policy and charging control）インフラストラクチャを介して、１つまたは複数のＷＴＲＵをトリガする方法を示す信号図である。
【図６】Ｍ２Ｍサーバが、インターネットプロトコルマルチメディアサブシステム（ＩＭＳ）ネットワークを介して、１つまたは複数のＷＴＲＵをトリガする方法を示す信号図である。
【図７】ページングチャネルを介して、ＷＴＲＵが無線ネットワークのセルへアタッチすることをトリガする実施例を示すフローチャートである。
【発明を実施するための形態】
【０００８】
図１Ａは、１つまたは複数の開示する実施形態を実装することができる、例示的な通信システム１００を示す図である。通信システム１００は、音声、データ、ビデオ、メッセージング、ブロードキャストなどのコンテンツを複数の無線ユーザに提供する多重アクセスシステムとしてもよい。通信システム１００は、複数の無線ユーザが、無線帯域幅を含むシステムリソースを共有することを通じて、そのようなコンテンツにアクセスすることを可能にしてもよい。例えば、通信システム１００は、符号分割多重アクセス（ＣＤＭＡ）、時分割多重アクセス（ＴＤＭＡ）、周波数分割多重アクセス（ＦＤＭＡ）、直交周波数分割多重アクセス（ＯＦＤＭＡ）、シングルキャリアＦＤＭＡ（ＳＣ−ＦＤＭＡ）などの、１つまたは複数のチャネルアクセス方法を採用してもよい。
【０００９】
図１Ａに示すように、通信システム１００は、無線送受信ユニット（ＷＴＲＵ）１０２ａ、１０２ｂ、１０２ｃおよび１０２ｄ、無線アクセスネットワーク（ＲＡＮ）１０４、コアネットワーク１０６、公衆交換電話網（ＰＳＴＮ）、インターネット１１０ならびに他のネットワーク１１２を含んでもよいが、開示する実施形態は、任意の数のＷＴＲＵ、基地局、ネットワークおよび／またはネットワーク要素が考えられることを理解されるであろう。ＷＴＲＵ１０２ａ、１０２ｂ、１０２ｃおよび１０２ｄのそれぞれが、無線環境において動作し、および／または通信するように構成される、任意のタイプのデバイスであってもよい。例として、ＷＴＲＵ１０２ａ、１０２ｂ、１０２ｃおよび１０２ｄは、無線信号を送信し、および／または受信するように構成されてもよく、およびユーザ機器（ＵＥ）、移動局、固定または移動加入者ユニット、ページャ、携帯電話、携帯情報端末（ＰＤＡ）、スマートフォン、ラップトップ、ネットブック、パーソナルコンピュータ、無線センサおよび家庭用電化製品などを含んでもよい。
【００１０】
通信システム１００はまた、基地局１１４ａおよび基地局１１４ｂを含んでもよい。基地局１１４ａおよび１１４ｂのそれぞれは、コアネットワーク１０６、インターネット１１０および／または他のネットワーク１１２など、１つまたは複数の通信ネットワークへのアクセスを容易にするために、ＷＴＲＵ１０２ａ、１０２ｂ、１０２ｃおよび１０２ｄの少なくとも１つと無線でインターフェース接続するように構成される任意のタイプのデバイスであってもよい。例として、基地局１１４ａおよび１１４ｂは、ベーストランシーバ基地局（ＢＴＳ）、ＮｏｄｅＢ、ｅＮｏｄｅＢ、ホームＮｏｄｅＢ、ホームｅＮｏｄｅＢ、サイトコントローラ、アクセスポイント（ＡＰ）および無線ルータなどであってもよい。基地局１１４ａおよび１１４ｂは、それぞれ単一の要素として記述されているが、基地局１１４ａおよび１１４ｂは任意の数の相互に接続される基地局および／またはネットワーク要素を含んでもよいことが理解されるであろう。
【００１１】
基地局１１４ａは、ＲＡＮ１０４の一部であってもよく、ＲＡＮ１０４はまた、他の基地局、および／または基地局コントローラ（ＢＳＣ）、無線ネットワークコントローラ（ＲＮＣ）、中継ノードなどのネットワーク要素（図示せず）を含んでもよい。基地局１１４ａおよび／または基地局１１４ｂは、特定の地理的な領域内で無線信号を送信し、および／または受信するように構成されてもよく、当該領域は、セル（図示せず）として呼ぶ場合がある。セルは、セルセクタにさらに分割されてもよい。例えば、基地局１１４ａと関連するセルは、３つのセクタに分割されてもよい。したがって、一実施形態では、基地局１１４ａは、３つの送受信機、すなわち、セルの各セクタに対して１つを含んでもよい。別の実施形態では、基地局１１４ａは、多入力多出力（ＭＩＭＯ）技術を採用してもよく、したがって、セルの各セクタに対して複数の送受信機を利用してもよい。
【００１２】
基地局１１４ａおよび１１４ｂは、無線インターフェース１１６上でＷＴＲＵ１０２ａ、１０２ｂ、１０２ｃおよび１０２ｄの１つまたは複数と通信してもよく、無線インターフェース１１６は、任意の適切な無線通信リンク（例えば、無線周波数（ＲＦ）、マイクロウェーブ、赤外線（ＩＲ）、紫外線（ＵＶ）、可視光など）であってもよい。無線インターフェース１１６は、任意の適切な無線アクセス技術（ＲＡＴ）を使用して確立されてもよい。
【００１３】
より具体的には、上記に述べたように、通信システム１００は、多重アクセスシステムであってもよく、およびＣＤＭＡ、ＴＤＭＡ、ＦＤＭＡ、ＯＦＤＭＡ、ＳＣ−ＦＤＭＡなどの１つまたは複数のチャネルアクセススキームを採用してもよい。例えば、ＲＡＮ１０４における基地局１１４ａならびにＷＴＲＵ１０２ａ、１０２ｂおよび１０２ｃは、ユニバーサル移動体通信システム（ＵＭＴＳ）地上波無線アクセス（ＵＴＲＡ）などの無線技術を実装してもよく、当該無線技術は、高帯域ＣＤＭＡ（ＷＣＤＭＡ（登録商標））を使用して無線インターフェース１１６を確立してもよい。ＷＣＤＭＡは、高速パケットアクセス（ＨＳＰＡ）および／または発展型ＨＳＰＡ（ＨＳＰＡ＋）などの通信プロトコルを含んでもよい。ＨＳＰＡは、高速ダウンリンクパケットアクセス（ＨＳＤＰＡ）および／または高速アップリンクパケットアクセス（ＨＳＵＰＡ）を含んでもよい。
【００１４】
別の実施形態では、基地局１１４ａならびにＷＴＲＵ１０２ａ、１０２ｂおよび１０２ｃは、発展型ＵＭＴＳ地上波無線アクセス（Ｅ−ＵＴＲＡ）などの無線技術を実装してもよく、当該無線技術は、ロングタームエボリューション（ＬＴＥ）および／またはＬＴＥ−Ａｄｖａｎｃｅｄ（ＬＴＳ−Ａ）を使用して、無線インターフェース１１６を確立してもよい。
【００１５】
他の実施形態では、基地局１１４ａならびにＷＴＲＵ１０２ａ、１０２ｂおよび１０２ｃは、ＩＥＥＥ８０２．１６（すなわち、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）、ＣＤＭＡ２０００、ＣＤＭＡ２０００  １Ｘ、ＣＤＭＡ２０００ＥＶ−ＤＯ、Ｉｎｔｅｒｉｍ  Ｓｔａｎｄａｒｄ  ２０００（ＩＳ−２０００）、Ｉｎｔｅｒｉｍ  Ｓｔａｎｄａｒｄ  ９５（ＩＳ−９５）、Ｉｎｔｅｒｉｍ  Ｓｔａｎｄａｒｄ  ８５６（ＩＳ−８５６）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）、Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）、ＧＳＭ  ＥＤＧＥ（ＧＥＲＡＮ））などの無線技術を実装してもよい。
【００１６】
図１Ａにおける基地局１１４ｂは、例えば、無線ルータ、ホームＮｏｄｅＢ、ホームｅＮｏｄｅＢまたはアクセスポイントであってもよく、および事業所、家庭、自動車、キャンパスなどの局所化されたエリアにおいて無線接続性を容易にするための任意の適切なＲＡＴを利用してもよい。一実施形態では、基地局１１４ｂならびにＷＴＲＵ１０２ｃおよび１０２ｄは、ＩＥＥＥ８０２．１１などの無線技術を実装して、無線ローカルエリアネットワーク（ＷＬＡＮ）を確立してもよい。別の実施形態では、基地局１１４ｂならびにＷＴＲＵ１０２ｃおよび１０２ｄは、ＩＥＥＥ８０２．１５などの無線技術を実装して、無線パーソナルエリアネットワーク（ＷＰＡＮ）を確立してもよい。さらなる別の実施形態では、基地局１１４ｂならびにＷＴＲＵ１０２ｃおよび１０２ｄは、セルラベースのＲＡＴを利用して（例えば、ＷＣＤＭＡ、ＣＤＭＡ２０００、ＧＳＭ、ＬＴＥおよびＬＴＥ−Ａなど）、ピコセルまたはフェムトセルを確立してもよい。図１Ａに示すように、基地局１１４ｂは、インターネット１１０への直接の接続部を有してもよい。したがって、基地局１１４ｂは、コアネットワーク１０６を介して、インターネット１１０にアクセスすることが要求されなくてもよい。
【００１７】
ＲＡＮ１０４は、コアネットワーク１０６と通信状態にあってもよく、コアネットワーク１０６は、音声、データ、アプリケーションおよび／またはボイスオーバーインターネットプロトコル（ＶｏＩＰ）を、ＷＴＲＵ１０２ａ、１０２ｂ、１０２ｃおよび１０２ｄの１つまたは複数に提供するように構成される、任意のタイプのネットワークであってもよい。例えば、コアネットワーク１０６は、呼制御、課金サービス、モバイル位置情報サービス、プリペードコーリング、インターネット接続性、ビデオ配信など提供してもよく、および／またはユーザ認証などのハイレベルのセキュリティ機能を実行してもよい。図１Ａに示していないが、ＲＡＮ１０４および／またはコアネットワーク１０６は、ＲＡＮ１０４と同一のＲＡＴまたは異なるＲＡＴを採用する、他のＲＡＮと直接的に、または間接的に通信状態にあってもよいことが理解されるであろう。例えば、Ｅ−ＵＴＲＡ無線技術を利用し得るＲＡＮ１０４に接続されることに加えて、コアネットワーク１０６はまた、ＧＳＭ無線技術を採用する別のＲＡＮ（図示せず）と通信状態にあってもよい。
【００１８】
コアネットワーク１０６はまた、ＷＴＲＵ１０２ａ、１０２ｂ、１０２ｃおよび１０２ｄが、ＰＳＴＮ１０８、インターネット１１０および／または他のネットワーク１１２にアクセスするためのゲートウェイとして機能してもよい。ＰＳＴＮ１０８は、旧来の電話サービス（ＰＯＴＳ）を提供する回線交換電話ネットワークを含んでもよい。インターネット１１０は、ＴＣＰ／ＩＰインターネットプロトコル群における、通信制御プロトコル（ＴＣＰ）、ユーザデータグラムプロトコル（ＵＤＰ）およびインターネットプロトコル（ＩＰ）などの共通の通信プロトコルを使用する、相互に接続されたコンピュータネットワークおよびデバイスのグローバルシステムを含んでもよい。他のネットワーク１１２は、他のサービスプロバイダによって所有および／または操作される有線、または無線の通信ネットワークを含んでもよい。例えば、他のネットワーク１１２は、１つまたは複数のＲＡＮに接続される別のコアネットワークを含んでもよく、当該ＲＡＮはＲＡＮ１０４と同一のＲＡＴまたは異なるＲＡＴを採用してもよい。
【００１９】
通信システム１００におけるＷＴＲＵ１０２ａ、１０２ｂ、１０２ｃおよび１０２ｄの一部、またはすべては、マルチモード機能を含んでもよく、すなわち、ＷＴＲＵ１０２ａ、１０２ｂ、１０２ｃおよび１０２ｄは、異なる無線リンク上で異なる無線ネットワークと通信するための多数の送受信機を含んでもよい。例えば、図１Ａに示すＷＴＲＵ１０２ｃは、セルラベースの無線技術を採用し得る基地局１１４ａと通信し、およびＩＥＥＥ８０２無線技術を採用し得る基地局１１４ｂと通信するように構成されてもよい。
【００２０】
図１Ｂは、例示的なＷＴＲＵ１０２のシステム図である。図１Ｂに示すように、ＷＴＲＵ１０２は、プロセッサ１１８、送受信機１２０、送受信要素１２２、スピーカ／マイクロフォン１２４、キーパッド１２６、ディスプレイ／タッチパッド１２８、着脱不能メモリ１３０、着脱可能メモリ１３２、電源１３４、全地球測位システム（ＧＰＳ）チップセット１３６および他の周辺機器１３８を含んでもよい。ＷＴＲＵ１０２は、実施形態との一貫性を維持したまま、前述の要素のいずれものサブセットを含んでもよいことが理解されるであろう。
【００２１】
プロセッサ１１８は、汎用プロセッサ、専用プロセッサ、従来型プロセッサ、デジタルシグナルプロセッサ（ＤＳＰ）、複数のマイクロプロセッサ、ＤＳＰコアと関連した１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、および状態機械などであってもよい。プロセッサ１１８は、信号コーディング、データ処理、電力制御、入出力処理、および／または、ＷＴＲＵ１０２が無線環境において動作することを可能にする任意の他の機能を実行してもよい。プロセッサ１１８は、送受信機１２０に結合されてもよく、送受信機１２０は、送受信要素１２２に結合されてもよい。図１Ｂは、プロセッサ１１８と送受信機１２０を別々の構成要素として記述しているが、プロセッサ１１８および送受信機１２０は、電子部品パッケージまたはチップに統合して集積してもよいことが理解されるであろう。
【００２２】
送受信要素１２２は、無線インターフェース１１６上で、基地局（例えば、基地局１１４ａ）に信号を送信し、または当該基地局から信号を受信するように構成されてもよい。例えば、一実施形態では、送受信要素１２２は、ＲＦ信号を送信し、および／または受信するように構成されるアンテナであってもよい。別の実施形態では、送受信要素１２２は、例えば、ＩＲ、ＵＶまたは可視光の信号を送信し、および／または受信するように構成されるエミッタ／ディテクタであってもよい。さらなる別の実施形態では、送受信要素１２２は、ＲＦ信号と光信号の両方を送信しおよび受信するように構成されてもよい。送受信要素１２２は、無線信号の任意の組み合わせを送信し、および／または受信するように構成されてもよいことが理解されるであろう。
【００２３】
さらに、図１Ｂでは、送受信要素１２２が単一要素として記述されているが、ＷＴＲＵ１０２は、任意の数の送受信要素１２２を含んでもよい。より具体的には、ＷＴＲＵ１０２は、ＭＩＭＯ技術を採用してもよい。したがって、一実施形態では、ＷＴＲＵ１０２は、無線インターフェース１１６上で無線信号を送信しおよび受信するために、２つ以上の送受信要素１２２（例えば、複数のアンテナ）を含んでもよい。
【００２４】
送受信機１２０は、送受信要素１２２によって送信される信号を変調し、および送受信要素１２２によって受信される信号を復調するように構成されてもよい。上記したように、ＷＴＲＵ１０２は、マルチモード機能を有してもよい。したがって、送受信機１２０は、ＷＴＲＵ１０２が、例えば、ＵＴＲＡおよびＩＥＥＥ８０２．１１などの複数のＲＡＴを介して通信することを可能にするために、複数の送受信機を含んでもよい。
【００２５】
ＷＴＲＵ１０２のプロセッサ１１８は、スピーカ／マイクロフォン１２４、キーパッド１２６および／またはディスプレイ／タッチパッド１２８（例えば、液晶ディスプレイ（ＬＣＤ）のディスプレイユニットまたは有機発光ダイオード（ＯＬＥＤ）のディスプレイユニット）に結合されてもよく、それらからユーザ入力データを受信してもよい。プロセッサ１１８はまた、スピーカ／マイクロフォン１２４、キーパッド１２６および／またはディスプレイ／タッチパッド１２８にユーザデータを出力してもよい。さらに、プロセッサ１１８は、着脱不能メモリ１３０および／または着脱可能メモリ１３２などの任意のタイプの適切なメモリからの情報にアクセスし、およびそこにデータを格納してもよい。着脱不能メモリ１３０は、ランダムアクセスメモリ（ＲＡＭ）、リードオンリメモリ（ＲＯＭ）、ハードディスク、または任意の他のタイプの記憶装置を含んでもよい。着脱可能メモリ１３２は、加入者識別モジュール（ＳＩＭ）カード、メモリスティックおよびセキュアデジタル（ＳＤ）メモリカードなどを含んでもよい。他の実施形態では、プロセッサ１１８は、サーバまたはホームコンピュータ（図示せず）などのＷＴＲＵ１０２上に物理的に配置されないメモリからの情報にアクセスし、およびそこにデータを格納してもよい。
【００２６】
プロセッサ１１８は、電源１３４から電力を受信してもよく、ならびにＷＴＲＵ１０２における他のコンポーネントに電力を配給し、および／または制御するように構成されてもよい。電源１３４は、ＷＴＲＵ１０２に電力を供給するための任意の適切なデバイスであってもよい。例えば、電源１３４は、１つまたは複数の乾電池（例えば、ニッケル−カドミウム（ＮｉＣｄ）、ニッケル−亜鉛（ＮｉＺｎ）、ニッケル金属水素化物（ＮｉＭＨ）、リチウム−イオン（Ｌｉ−ｉｏｎ）など）、太陽電池、および燃料電池などを含んでもよい。
【００２７】
プロセッサ１１８はまた、ＧＰＳチップセット１３６に結合されてもよく、ＧＰＳチップセット１３６は、ＷＴＲＵ１０２の現在位置に関する位置情報（例えば、緯度および経度）を提供するように構成されてもよい。ＧＰＳチップセット１３６からの情報に加えて、またはその代わりに、ＷＴＲＵ１０２は、基地局（例えば、基地局１１４ａ、１１４ｂ）から無線インターフェース１１６上で位置情報を受信してもよく、および／または２つ以上の近接する基地局から受信されている信号のタイミングに基づいて、その位置を判定してもよい。ＷＴＲＵ１０２は、実施形態との一貫性を維持したまま、任意の適切な位置決定方法によって、位置情報を取得することができることが理解されるであろう。
【００２８】
プロセッサ１１８はさらに、他の周辺機器１３８に結合されてもよく、周辺機器１３８は、追加の特徴、機能および／または有線または無線の接続性を提供する、１つまたは複数のソフトウェアおよび／またはハードウェアモジュールを含んでもよい。例えば、他の周辺機器１３８は、加速度計、イーコンパス（e-compass）、衛星送受信機、デジタルカメラ（写真またはビデオのため）、ユニバーサルシリアルバス（ＵＳＢ）ポート、振動デバイス、テレビジョン送受信機、ハンズフリーヘッドセット、ブルートゥース（登録商標）モジュール、周波数変調（ＦＭ）無線ユニット、デジタルミュージックプレイヤ、メディアプレイヤ、ビデオゲームプレイヤモジュールおよびインターネットブラウザなどを含んでもよい。
【００２９】
図１Ｃは、実施形態に準じたＲＡＮ１０４およびコアネットワーク１０６のシステム図である。上述したように、ＲＡＮ１０４は、Ｅ−ＵＴＲＡ無線技術を採用して、無線インターフェース１１６上でＷＴＲＵ１０２ａ、１０２ｂおよび１０２ｃと通信してもよい。ＲＡＮ１０４はまた、コアネットワーク１０６と通信状態にあってもよい。
【００３０】
ＲＡＮ１０４は、ｅＮｏｄｅＢ１４０ａ、１４０ｂおよび１４０ｃを含んでもよいが、ＲＡＮ１０４は、実施形態との一貫性を維持したままで、任意の数のｅＮｏｄｅＢを含んでもよいことが理解されるであろう。ｅＮｏｄｅＢ１４０ａ、１４０ｂおよび１４０ｃはそれぞれ、無線インターフェース１１６上でＷＴＲＵ１０２ａ、１０２ｂおよび１０２ｃと通信するための１つまたは複数の送受信機を含んでもよい。一実施形態では、ｅＮｏｄｅＢ１４０ａ、１４０ｂおよび１４０ｃは、ＭＩＭＯ技術を実装してもよい。したがって、ｅＮｏｄｅＢ１４０ａは、例えば、複数のアンテナを使用して、ＷＴＲＵ１０２ａに無線信号を送信し、ＷＴＲＵ１０２ａから無線信号を受信してもよい。
【００３１】
ｅＮｏｄｅＢ１４０ａ、１４０ｂおよび１４０ｃのそれぞれは、特定のセル（図示せず）と関連付けられてもよく、ならびに無線リソース管理決定、ハンドオーバ決定、およびアップリンクおよび／またはダウンリンクにおけるユーザのスケジューリングなどを扱うように構成されてもよい。図１Ｃに示すように、ｅＮｏｄｅＢ１４０ａ、１４０ｂおよび１４０ｃは、Ｘ２インターフェース上で互いに通信してもよい。
【００３２】
図１Ｃに示すコアネットワーク１０６は、モビリティ管理ゲートウェイ（ＭＭＥ）１４２、サービングゲートウェイ１４４およびパケットデータネットワーク（ＰＤＮ）ゲートウェイ１４６を含んでもよい。前述の要素のそれぞれが、コアネットワーク１０６の一部分として記述されているが、これらの要素の任意の１つが、コアネットワークオペレータ以外のエンティティによって所有されてもよく、および／または操作されてもよいことが理解されるであろう。
【００３３】
ＭＭＥ１４２は、Ｓ１インターフェースを介してＲＡＮ１０４におけるｅＮｏｄｅＢ１４０ａ、１４０ｂおよび１４０ｃのそれぞれに接続されてもよく、および制御ノードとして機能してもよい。例えば、ＭＭＥ１４２は、ＷＴＲＵ１０２ａ、１０２ｂおよび１０２ｃのユーザの認証、べアラ活性化／非活性化、ならびにＷＴＲＵ１０２ａ、１０２ｂおよび１０２ｃの初期アタッチ中の特定のサービングゲートウェイの選択などを担当してもよい。ＭＭＥ１４２はまた、ＲＡＮ１０４と、ＧＳＭまたはＷＣＤＭＡなどの他の無線技術を採用する他のＲＡＮ（図示せず）との間の切り替えのための、コントロールプレーン機能を提供してもよい。
【００３４】
サービングゲートウェイ１４４は、Ｓ１インターフェースを介してＲＡＮ１０４におけるｅＮｏｄｅＢ１４０ａ、１４０ｂおよび１４０ｃのそれぞれに接続されてもよい。サービングゲートウェイ１４４は、一般に、ＷＴＲＵ１０２ａ、１０２ｂおよび１０２ｃにユーザデータパケットをルーティングし、ならびに、ＷＴＲＵ１０２ａ、１０２ｂおよび１０２ｃから当該パケットを転送してもよい。サービングゲートウェイ１４４はまた、ｅＮｏｄｅＢ間のハンドオーバの中にユーザプレーンをアンカリングすること、ダウンリンクデータがＷＴＲＵ１０２ａ、１０２ｂおよび１０２ｃに対して利用可能なときに、ページングをトリガすること、ならびにＷＴＲＵ１０２ａ、１０２ｂおよび１０２ｃのコンテキストを管理しおよび格納することなどの、他の機能を実行してもよい。
【００３５】
サービングゲートウェイ１４４はまた、ＰＤＮゲートウェイ１４６に接続されてもよく、ＰＤＮゲートウェイ１４６は、ＷＴＲＵ１０２ａ、１０２ｂおよび１０２ｃに、インターネット１１０などのパケット交換ネットワークに対するアクセスを提供して、ＷＴＲＵ１０２ａ、１０２ｂおよび１０２ｃならびにＩＰ使用可能デバイスの間で通信を容易にしてもよい。
【００３６】
コアネットワーク１０６は、他のネットワークとの通信を容易にしてもよい。例えば、コアネットワーク１０６は、ＷＴＲＵ１０２ａ、１０２ｂおよび１０２ｃに、ＰＳＴＮ１０８などの回線交換ネットワークへのアクセスを提供して、ＷＴＲＵ１０２ａ、１０２ｂおよび１０２ｃならびに従来の固定電話の通信デバイスの間で通信を容易にしてもよい。例えば、コアネットワーク１０６は、コアネットワーク１０６とＰＳＴＮ１０８との間のインターフェースとして機能するＩＰゲートウェイ（例えば、ＩＰマルチメディアサブシステム（ＩＭＳ）サーバ）を含んでもよく、またはそれと通信してもよい。さらに、コアネットワーク１０６は、ＷＴＲＵ１０２ａ、１０２ｂおよび１０２ｃに、他のサービスプロバイダによって所有および／または操作される他の有線または無線のネットワークを含み得る他のネットワーク１１２へのアクセスを提供してもよい。
【００３７】
図１Ｂに示すＷＴＲＵ１０２などのＷＴＲＵは、図１Ｃに示す無線ネットワークなどの無線ネットワークを介して、マシンツーマシン（Ｍ２Ｍ）通信を実行するように構成されてもよい。簡単にするために、Ｍ２Ｍ通信を実行するように構成されたＷＴＲＵは、Ｍ２Ｍデバイスとして、本明細書で呼ばれることがある。
【００３８】
無線ネットワークが、デタッチされたＷＴＲＵをトリガして、無線ネットワークにアタッチすることが望ましい場合がある。例えば、Ｍ２Ｍサーバは、ＷＴＲＵからの情報を要求する場合があり、または、ＷＴＲＵに送信する必要がある情報を有する場合がある。本明細書に述べる実施形態は、無線ネットワークにアタッチされていないＷＴＲＵをトリガする方法を提供することができる。トリガされたＷＴＲＵは、例えば、要求された情報を送信し、および／または受信するために、無線ネットワークへのアタッチを開始することができる。本明細書に説明する実施形態では、ＷＴＲＵは、ブロードキャストチャネル（ＢＣＣＨ）および／またはページングチャネルを使用して、トリガされてもよい。他の実施形態では、低電力のＮＡＳ状態が説明され、当該状態において無線ネットワークにアタッチされていないＷＴＲＵは、ブロードキャストチャネルおよび／またはページングチャネルをリスンしてもよい。
【００３９】
図２は、ＷＴＲＵをトリガして、ブロードキャストチャネル（ＢＣＣＨ）を介して、無線ネットワークのセルにアタッチする実施例を示すブロック図２００である。例示する実施形態は、デタッチ状態にあるＷＴＲＵの特性を使用してもよく、これらのＷＴＲＵは、利用できるネットワークを発見するために常にサーチ状態にあってもよく、したがって、いずれもの所与のときにおいて、ネットワークのセルにキャンプオンしてもよく、およびセルのＢＣＣＨ上で、セルに対し、および／またはネットワーク情報に対してリスンしていていてもよい。したがって、Ｍ２Ｍサーバは、無線ネットワークにアタッチされていないＷＴＲＵをトリガして、ＷＴＲＵが現在キャンプオンしているセルのＢＣＣＨを介して、無線ネットワークへのアタッチを開始してもよい。
【００４０】
さらに、図２に示す実施形態では、トリガされることになるＷＴＲＵが、固定されかつ公知のロケーション（例えば、水道メータ、測候所などのＭ２Ｍデバイス）、またはＷＴＲＵが、その間を移動することができる、とり得るロケーションのセットのいずれか有すると仮定してもよい。したがって、ＷＴＲＵをトリガして、無線ネットワークにアタッチさせるようにする必要があるＭ２Ｍサーバは、ＷＴＲＵがトリガされ得る１つのセル、もしくはいくつかの選択されたセルに対するロケーション情報へのアクセスを有してもよく、そして比較的容易に、正確なロケーションにおいてトリガされるＷＴＲＵを有することができる。
【００４１】
図２の実施例は、少なくとも１つのＷＴＲＵ２１４／２１６をトリガして、基地局または無線ネットワークコントローラ（ＲＮＣ）２０６を介して、３ＧＰＰコアネットワーク２０４のセル２０８に登録するＭ２Ｍサーバ２０２を示す。例示する実施形態では、Ｍ２Ｍサーバ２０２は、トリガメッセージ２０３を３ＧＰＰコアネットワーク２０４に送信し、コアネットワーク２０４は、基地局またはＲＮＣ２０６に対し、特定のセル２０８に関するＢＣＣＨ情報を更新するように指示するメッセージ２０５を、基地局またはＲＮＣ２０６に送信する。３ＧＰＰコアネットワーク２０４からメッセージを受信したことに応答して、基地局またはＲＮＣ２０６は、セル２０８に対してブロードキャストチャネル情報（２１８）を更新してもよい。セル２０８のＢＣＣＨ上にキャンプオンするＷＴＲＵ２１４および２１６は、更新されたＢＣＣＨ情報を受信してもよく、ならびに３ＧＰＰコアネットワーク２０４へのアタッチを開始してもよい。図２に、他のセル２１０および２１２を示す。図２に示していないが、他のセル２１０および２１２はまた、それぞれのセルのＢＣＣＨをリスンしている場合がある無線デバイスをトリガするために使用されてもよい。
【００４２】
基地局またはＲＮＣ２０６はまた、ＷＴＲＵが無線ネットワークにアタッチされていない間、セル２０８がトリガの機能をサポートするかを示す情報を、ＢＣＣＨ上で提供してもよい。ＷＴＲＵ２１４および２１６は、ＷＴＲＵが無線ネットワークにアタッチされていない間、新たなセルがトリガをサポートするかに関する情報について、ＢＣＣＨをモニタしてもよく、およびこの情報に基づいて、そのセルのＢＣＣＨを継続してモニタするかについて判定してもよい。ＷＴＲＵ２１４／２１６は、ＷＴＲＵがネットワーク２０４にアタッチされていない間、セル２０８がトリガをサポートしないという条件下で、異なるセル（例えば、セル２１０または２１２）にキャンプオンすることを決定し、および、ＷＴＲＵがネットワーク２０４にアタッチされていない間、セル２０８がトリガをサポートするという条件下で、セル２０８のＢＣＣＨのモニタを継続することを決定してもよい。
【００４３】
図３は、ＷＴＲＵ（例えば、図２に示すＷＴＲＵ２１４または２１６の１つまたは複数）において実装することができる方法を示すフローチャート３００である。例示するフローチャート３００では、ＷＴＲＵは、ＷＴＲＵが無線ネットワークにアタッチされていない間、トリガイベントに対し、無線ネットワークのセルのブロードキャストチャネルをモニタする（３１０）。ＷＴＲＵは、ブロードキャストチャネルがモニタされている間に、トリガイベントが検出されるという条件下で、無線ネットワークへのＷＴＲＵのアタッチを開始してもよい（３２０）。
【００４４】
Ｍ２Ｍサーバ２０２は、いくつかの異なる方法で、ＷＴＲＵ（例えば、２１４および／または２１６）をトリガして、３ＧＰＰコアネットワーク２０４にアタッチさせてもよい。図４、５および６は、Ｍ２Ｍサーバが移動局（ＭＳ）またはＷＴＲＵをトリガすることができる３つの例示的な方法を示す信号図４００、５００および６００である。
【００４５】
図４は、Ｇｉインターフェースを介して、１つまたは複数のＷＴＲＵをトリガするＭ２Ｍサーバの方法を示す信号図４００である。図４に示す実施例では、Ｍ２Ｍサーバ４０１は、トリガインジケーション４１２を送信して、特定のＷＴＲＵまたはＷＴＲＵのグループモバイルネットワークにアタッチするためにトリガする。トリガインジケーション４１２は、ホームロケーションレジスタ（ＨＬＲ）／ホーム加入者サーバ（ＨＳＳ）４０４またはＳＧＳＮ／ＭＭＥ４０６が、１つまたは複数のＷＴＲＵ４１０が位置するＲＡＮノードを位置付けることを可能にし得るデバイス識別子またはグループ識別子を含んでもよい。デバイス識別子またはグループ識別子を適切なＲＡＮノードにリンクするロケーション情報は、ＨＬＲ／ＨＳＳ４０４またはＳＧＳＮ／ＭＭＥ４０６において事前に構成されてもよく、およびＷＴＲＵ加入契約（subscription）の一部であってもよい。
【００４６】
トリガインジケーション４１２は、ＧＰＲＳサポートノード（ＧＧＳＮ）／パケットデータネットワーク（ＰＤＮ）ゲートウェイ（Ｐ−ＧＷ）４０２により受信されてもよい。例えば、ロケーション情報がどこに格納されているのかに応じて、ＧＧＳＮ／Ｐ−ＧＷ４０２は、ＨＬＲ／ＨＳＳ４０４またはＳＧＳＮ／ＭＭＥ４０６の１つに、それぞれクエリー４１４ａまたは４１４ｂの１つを使用して、トリガインジケーション４１２を転送してもよい。ＧＧＳＮ／Ｐ−ＧＷ４０２がトリガインジケーション４１２をＨＬＲ／ＨＳＳ４０４に転送した場合、ＨＬＲ／ＨＳＳ４０４は、トリガインジケーション４１２をＳＧＳＮ／ＭＭＥ４０６に転送してもよい（４１６）。
【００４７】
ＳＧＳＮ／ＭＭＥ４０６は、クエリー４１４ｂまたはトリガインジケーション４１６において示されるＷＴＲＵの識別子に対応するロケーション情報を判定してもよく、および例えば、ロケーション情報に基づいて、トリガリクエスト４１８（例えば、モバイル管理（ＭＭ）シグナリング）を、１つまたは複数の特定のベーシックサービスセット（ＢＳＳ）／無線ネットワークサブシステム（ＲＮＳ）４０８に送信してもよい。１つまたは複数の特定のＢＳＳ／ＲＮＳ４０８は、１つまたは複数のＷＴＲＵ４１０が無線ネットワークにアタッチするためのリクエストを含む、更新されたブロードキャストトリガ４２０（例えば、システム情報ブロック（ＳＩＢ）メッセージに含まれる）をブロードキャストしてもよい（例えば、データをＭ２Ｍサーバ４０１に送信するため）。１つまたは複数のＷＴＲＵ４１０は、更新されたブロードキャストトリガ４２０を検出してもよく、およびアタッチプロシージャ４２２を使用して無線ネットワークへのアタッチを開始してもよい。
【００４８】
ＧＧＳＮ／Ｐ−ＧＷ４０２は、タイマを起動して、１つまたは複数のトリガされたＭＳ／ＷＴＲＵ４１０が、無線ネットワークにアタッチしたかどうかを確認してもよい。１つまたは複数のトリガされたＷＴＲＵ４１０がアタッチされていない（例えば、ＷＴＲＵが、選択されたセルにない、またはブロードキャストチャネルをリスンしていない）という条件下で、ＧＧＳＮ／Ｐ−ＧＷ４０２は、エラーメッセージをＭ２Ｍサーバ４０１に送信してもよい。
【００４９】
図５は、ポリシーおよび課金制御（ＰＣＣ：policy and charging control）インフラストラクチャ（例えば、ユーザデータコンバージェンス（ＵＤＣ）アーキテクチャを実装する（ＳＩＰプロトコルを使用して）３ＧＰＰについて）を介して、１つまたは複数のＷＴＲＵをトリガする、Ｍ２Ｍの方法を示す信号図５００である。図５に示す実施例では、アプリケーション機能（ＡＦ）として動作するＭ２Ｍサーバ５０１は、トリガインジケーション５１２を送信して、モバイルネットワークにアタッチするために、特定のＷＴＲＵまたはＷＴＲＵのグループ（５１０）をトリガする。図４に示す方法のように、トリガインジケーション５１２は、ＨＬＲ／ＨＳＳ５０４またはＳＧＳＮ／ＭＭＥ５０６が、１つまたは複数のＷＴＲＵ５１０が位置するＲＡＮノードまたは複数のノードを位置付けることを可能にし得るデバイス識別子またはグループ識別子を含んでもよい。デバイス識別子またはグループ識別子を、適切なＲＡＮノードにリンクするロケーション情報は、ＨＬＲ／ＨＳＳ５０４またはＳＧＳＮ／ＭＭＥ５０６において事前に構成されてもよく、およびＷＴＲＵ加入契約の一部であってもよい。
【００５０】
ポリシーおよび課金ルール機能（ＰＣＲＦ：Policy and Charging Rule Function）５０２は、トリガインジケーション５１２を受信してもよく（例えば、Ｒｘインターフェースを介して）、およびトリガインジケーション５１２をＨＬＲ／ＨＳＳ５０４に転送してもよい（５１４）（例えば、Ｕｄインターフェースを介して）。ＨＬＲ／ＨＳＳ５０４は、ＵｄインターフェースのＳ６ａインターフェースを介して、トリガインジケーションをＳＧＳＮ／ＭＭＥ５０６に転送してもよい（５１６）。
【００５１】
ＳＧＳＮ／ＭＭＥ５０６は、トリガインジケーション５１２において示されるＷＴＲＵの識別子に対応するロケーション情報を判定してもよく、および例えばロケーション情報に基づいて、トリガリクエスト５１８を１つまたは複数の特定のベーシックサービスセット（ＢＳＳ）／無線ネットワークサブシステム（ＲＮＳ）５０８に送信してもよい（例えば、モビリティ管理（ＭＭ）シグナリングを使用して）。１つまたは複数の特定のＢＳＳ／ＲＮＳ５０８は、１つまたは複数のＷＴＲＵ５１０が、無線ネットワークにアタッチするためのリクエストを含む、更新されたブロードキャストトリガ５２０（例えば、システム情報ブロック（ＳＩＢ）メッセージに含まれる）をブロードキャストしてもよい（例えば、データをＭ２Ｍサーバ５０１に送信するため）。１つまたは複数のＷＴＲＵ５１０は、更新されたブロードキャストトリガ５２０を検出してもよく、およびアタッチプロシージャ５２２を使用して、無線ネットワークへのアタッチを開始してもよい。
【００５２】
図６は、インターネットプロトコルマルチメディアサブシステム（ＩＭＳ）ネットワークを介して、１つまたは複数のＷＴＲＵをトリガする、Ｍ２Ｍサーバ（ここでは、ＩＭＳアプリケーションサーバ（Ｍ２Ｍ−ＡＳ））の方法を例示する信号図６００である。図６に示す実施例では、Ｍ２Ｍ−ＡＳ６０２は、Ｓｈインターフェースを介して、トリガインジケーション６１２を送信し、それにより特定のＷＴＲＵまたはＷＴＲＵのグループ（６１０）をトリガして、無線ネットワークにアタッチさせる。図４および５に示す方法のように、トリガインジケーション６１２は、ＨＬＲ／ＨＳＳ６０４またはＳＧＳＮ／ＭＭＥ６０６が、１つまたは複数のＷＴＲＵ６１０が位置するＲＡＮノードを位置付けることを可能にし得るデバイス識別子またはグループ識別子を含んでもよい。デバイス識別子もしくはグループ識別子を適切なＲＡＮノードにリンクするロケーション情報は、ＨＬＲ／ＨＳＳ６０４もしくはＳＧＳＮ／ＭＭＥ６０６に事前に構成されてもよく、またはＷＴＲＵ加入契約の一部としてもよい。
【００５３】
ＨＬＲ／ＨＳＳ６０４は、トリガインジケーション６１２を受信してもよく、およびＳ６ａまたはＵｄインターフェースを介して、トリガインジケーション６１２をＳＧＳＮ／ＭＭＥ６０６（６１４）に転送してもよい。ＳＧＳＮ／ＭＭＥ６０６は、トリガインジケーション６１２において示されるＷＴＲＵの識別子に対応するロケーション情報を判定してもよく、および、例えば、ロケーション情報に基づいて、トリガリクエスト６１６を１つまたは複数の特定のＢＳＳ／ＲＮＳ６０８に送信してもよい（例えば、モビリティ管理（ＭＭ）シグナリングを使用して）。１つまたは複数の特定のＢＳＳ／ＲＮＳ６０８は、１つまたは複数の特定のＷＴＲＵ６１０が無線ネットワークにアタッチするためのリクエストを含む、更新されたブロードキャストトリガ６１８（例えば、システム情報ブロック（ＳＩＢ）メッセージ中に含まれる）をブロードキャストしてもよい（データをＭ２Ｍ−ＡＳ６０２に送信するため）。１つまたは複数のＷＴＲＵ６１０は、更新されたブロードキャストトリガ６１８を検出してもよく、およびアタッチプロシージャ６２０を使用して、無線ネットワークへのアタッチを開始してもよい。Ｕｄインターフェースが、トリガインジケーション６１２を、ＨＬＲ／ＨＳＳ６０４にＵｄインターフェースを介して転送するのに使用される場合、ＧＰＰＰ無線ネットワークは、ＵＤＳアーキテクチャを実装してもよい。
【００５４】
一実施形態では、無線ネットワークにアタッチされていないＷＴＲＵは、ページングチャネルを使用して、トリガされてもよい。例えば、一部のＷＴＲＵは、動作の不連続受信（ＤＲＸ）モードを使用してもよい。ＤＲＸモードでは、ＷＴＲＵは、ＤＲＸサイクルの周期的な間隔で、スリープモードに入ってもよい。無線ネットワークにアタッチされていないＷＴＲＵについて、ＷＴＲＵは、無線ネットワークに提供される（例えば、無線ネットワークからデタッチするとき）長さを有する間隔を含む、特定のＤＲＸサイクルを適用してもよい。一実施形態では、ＤＲＸ間隔は、無線ネットワークにアタッチされているＷＴＲＵによって使用されるＤＲＸ間隔より長い長さを有してもよい。
【００５５】
無線ネットワークにアタッチされていないＷＴＲＵによって使用することができる特定のＤＲＸサイクルに関する情報、および任意の関連するＤＲＸパラメータを含む、ＤＲＸ情報は、多数の異なる方法によって、無線ネットワークに通信されてもよい。例えば、ＷＴＲＵは、パケットシステム（ＰＳ）／発展型パケットシステム（ＥＰＳ）にあるときに、デタッチリクエストメッセージにＤＲＸ情報を含めてもよい。別の実施例によれば、ＷＴＲＵが、回線交換（ＣＳ）アクセスのみを有する場合、ＷＴＲＵは、国際移動体加入者識別番号（ＩＭＳＩ）のデタッチインジケーションメッセージにＤＲＸ情報を含めてもよい。別の実施例によれば、ＷＴＲＵは、トラッキング／ルーティング／ロケーションエリア更新プロシージャの間、ＷＴＲＵが無線ネットワークからデタッチするとき、適用されることになる新たなＤＲＸ情報として、ＤＲＸ情報をシグナリングしてもよい。
【００５６】
無線ネットワークは、ページングチャネルを使用してトリガ情報をシグナリングするために、ＤＲＸ情報を使用してもよい。例として、クラシックＧＳＭページングメッセージ（classic GSM paging message）、さらにまた無線リソースコントロール（ＲＲＣ）ページングメッセージ（例えば、無線ネットワークが、ＵＭＴＳ地上波無線アクセスネットワーク（ＵＴＲＡＮ）または発展型ＵＴＲＡＮ（ＥＵＴＲＡＮ）である場合）は、ページングチャネルを使用してトリガ情報をシグナリングするために使用されてもよい。ＧＳＭページングに対しては、レストオクテット（rest octets）がまた、トリガ情報を伝達するために使用されてもよい。
【００５７】
ネットワークオペレータは、無線ネットワークに対するオプションとして、ページングチャネルを介して、トリガする機能を実装してもよい。この実施形態では、無線ネットワークは、システム情報メッセージにおいてこの機能のサポート／可用性をブロードキャストしてもよく、または、ＷＴＲＵが最初に無線ネットワークに登録したとき（例えば、アタッチまたはトラッキング／ルーティング／ロケーション更新プロシージャの間）、それをＷＴＲＵに通信してもよい。ＷＴＲＵが最初に無線ネットワークに登録したときに、無線ネットワークが、ページングチャネル機能を介してトリガのサポート／可用性をブロードキャストするという条件下で、情報が１つまたは複数のネットワークアクセスサーバ（ＮＡＳ）アクセプトメッセージにおいてＷＴＲＵに送信されてもよい。
【００５８】
図７は、ＷＴＲＵをトリガして、ページングチャネルを介して、無線ネットワークのセルにアタッチする実施例を示すフローチャート７００である。例示する実施形態では、ＷＴＲＵは、ＷＴＲＵが無線ネットワークにアタッチされていない間に、無線ネットワークに提供される長さの間隔で、トリガイベントに対し、無線ネットワークのセルのページングチャネルをモニタしてもよい（７１０）。ＷＴＲＵがページングチャネルをモニタしている間に、トリガイベントが検出されるという条件下で、ＷＴＲＵは、無線ネットワークへのＷＴＲＵのアタッチを開始してもよい（７２０）。
【００５９】
一実施形態では、無線ネットワークにアタッチされていないＷＴＲＵは、低電力ＮＡＳ状態にあってもよく、当該状態の間に、ＷＴＲＵはブロードキャストチャネルおよびページングのチャネルの少なくとも１つをリスンする。ネットワークとの通信を確立するために、低電力状態にあるデバイスは、アタッチプロシージャを開始するように要求してもよい。ＷＴＲＵはまた、低電力状態にあるときに、ＧＰＲＳモビリティ管理にアタッチしてもよく、およびＭＳおよびＳＧＳＮコンテキストは、ＷＴＲＵに関する有効なロケーション情報および／またはルーティング情報を保持し、したがって、ＷＴＲＵは、ブロードキャストチャネルまたはページングチャネルの少なくとも１つを介して、トリガされてもよい。同一のセットにあるデバイスは、同一のルーティングエリアに属するものと仮定されてもよく、したがって、ルーティング情報は、ＷＴＲＵ毎には変化せず、およびＷＴＲＵをページングするために使用されてもよい。
【００６０】
一実施形態では、ＷＴＲＵ関連のモビリティ管理プロシージャは、低電力状態では実行されなくてもよい。ＷＴＲＵは、同一のルーティングエリアに留まるということを仮定してもよい。さらに、低電力状態では、ＷＴＲＵは、ＰＬＭＮ選択、セル選択および再選択を実行しなくてもよい。また、ＷＴＲＵが低電力状態にあるとき、ＷＴＲＵとのデータ伝送は、可能でないことがある。具体的には、システムマルチキャスト（ＳＭ）シグナリングが許可されないことがあり、およびＭＭＥ／ＳＧＳＮが、ＷＴＲＵからの任意のＳＭまたはエンドシステムマルチキャスト（ＥＳＭ）シグナリングリクエスト（例えば、ＰＤＮ接続性／パケットデータプロトコル（ＰＤＰ）コンテキストリクエスト活性化）を拒絶することがある。さらに、ネットワークおよびＷＴＲＵは、ＷＴＲＵが低電力状態に入るときに、ＷＴＲＵに割り当てられる任意の仮移動体加入者識別番号（ＴＭＳＩ）またはパケットＴＭＳＩ（Ｐ−ＴＭＳＩ）を削除するように要求されることがある。
【００６１】
ＷＴＲＵは、多数の異なる方法で低電力状態に入ってもよい。例えば、低電力状態へのＷＴＲＵの移行は、デタッチプロシージャの間、ネットワークによってトリガされてもよい。例えば、移行は、ＷＴＲＵによって開始されるデタッチプロシージャに関するデタッチアクセプトメッセージにおいて、またはネットワークによって開始されるデタッチプロシージャに関するデタッチリクエストメッセージにおいて、トリガされてもよい。別の実施例では、低電力状態への移行は、セルにおけるＷＴＲＵのセットに対して強制的なものであってもよく、およびこの要件に関する情報は、ブロードキャストチャネルにおいて、または個別シグナリングによってのいずれかにおいて送信されてもよい。この実施例では、そのセットの一部であるすべてのＷＴＲＵは、無線ネットワークにアタッチされていないとき、低電力状態に入ってもよい。当該セットは、セルにおけるすべてのＷＴＲＵ、またはセルにおけるＷＴＲＵのすべてのサブセットを含んでもよい。別の実施例では、低電力状態への移行は、ＷＴＲＵに対して任意であってもよく、およびＷＴＲＵは、無線ネットワークに、アタッチプロシージャの間、当該ＷＴＲＵが低電力状態をサポートすることを通知してもよい。別の実施例では、低電力状態は、オープンモバイルアライアンス（ＯＭＡ）デバイス管理（ＤＭ）または加入者識別モジュール（ＳＩＭ）またはユニバーサル加入者識別モジュール（ＵＳＩＭ）オーバーディエア（ＯＴＡ：over the air）プログラミングプロシージャを使用して、ＷＴＲＵにおいて構成されてもよい。この実施形態では、ＷＴＲＵは、無線ネットワークによって他に指示されないかぎり（例えば、無線ネットワークが、ページングインジケーションをＷＴＲＵに送信するとき）、常に低電力状態でアタッチしてもよい。
【００６２】
実施形態
【００６３】
１．無線送受信ユニット（ＷＴＲＵ）であって、
ＷＴＲＵが無線ネットワークにアタッチされていない間、トリガイベントについて無線ネットワークのセルのブロードキャストチャネルをモニタするように構成される送受信要素を含むことを特徴とするＷＴＲＵ。
【００６４】
２．送受信要素が、ブロードキャストチャネルをモニタする間、トリガイベントを検出するという条件下で、無線ネットワークへのＷＴＲＵのアタッチを開始するように構成されるプロセッサをさらに含むことを特徴とする実施形態１に記載のＷＴＲＵ。
【００６５】
３．ＷＴＲＵは、マシンツーマシン（Ｍ２Ｍ）タイプの通信を介して、通信するように構成されることを特徴とする実施形態１および２の１つに記載のＷＴＲＵ。
【００６６】
４．ＷＴＲＵは、無線ネットワークによって知られている固定されたロケーション、または無線ネットワークによって知られている、ＷＴＲＵが位置することができる、とり得るロケーションのセット、のうちの１つを有することを特徴とする実施形態１乃至３のいずれか１つに記載のＷＴＲＵ。
【００６７】
５．固定されたロケーション、またはとり得るロケーションのセットは、ホームロケーションレジスタ（ＨＬＲ）、ホーム加入者サーバ（ＨＳＳ）、サービング汎用パケット無線サービス（ＧＰＲＳ）サポートノード（ＳＧＳＮ）またはモビリティ管理エンティティ（ＭＭＥ）の少なくとも１つにおいて事前に構成されることを特徴とする実施形態４に記載のＷＴＲＵ。
【００６８】
６．トリガイベントは、データをＭ２Ｍサーバに送信するために、ＷＴＲＵが無線ネットワークにアタッチすることに関するリクエストを含むことを特徴とする実施形態１乃至５のいずれか１つに記載のＷＴＲＵ。
【００６９】
７．トリガイベントは、システム情報ブロック（ＳＩＢ）メッセージに含められることを特徴とする実施形態１乃至６のいずれか１つに記載のＷＴＲＵ。
【００７０】
８．送受信要素は、ＷＴＲＵが、ＷＴＲＵが無線ネットワークにアタッチされていない間、新たなセルにキャンプオンするときに、セル情報およびネットワーク情報のうちの少なくとも１つに関してブロードキャストチャネルをモニタするようにさらに構成されることを特徴とする実施形態１乃至７のいずれか１つに記載のＷＴＲＵ。
【００７１】
９．送受信要素は、ＷＴＲＵがネットワークにアタッチされていない間、新たなトリガをサポートするかどうかの情報に関してブロードキャストチャネルをモニタするようにさらに構成されることを特徴とする実施形態１乃至８のいずれか１つに記載のＷＴＲＵ。
【００７２】
１０．プロセッサは、ＷＴＲＵがネットワークにアタッチされていない間、新たなセルがトリガをサポートしないという条件下で、異なるセルにキャンプオンするように、および、ＷＴＲＵがネットワークにアタッチされていない間、新たなセルがトリガをサポートするという条件下で、新たなセルのブロードキャストチャネルを継続してモニタするように、ＷＴＲＵを制御するようにさらに構成されることを特徴とする実施形態９に記載のＷＴＲＵ。
【００７３】
１１．プロセッサは、ＷＴＲＵが無線ネットワークにアタッチされていないとき、ＷＴＲＵが低電力状態に入るように制御するようにさらに構成され、およびＷＴＲＵは、低電力状態にある間、データを送受信しないことを特徴とする実施形態２乃至１０のいずれか１つに記載のＷＴＲＵ。
【００７４】
１２．ＷＴＲＵは、低電力状態である間、モビリティ管理エンティティ（ＭＭＥ）にアタッチされるが、ＷＴＲＵ関連のモビリティ管理プロシージャが実行されないことを特徴とする実施形態１１に記載のＷＴＲＵ。
【００７５】
１３．ＷＴＲＵは、低電力状態にある間、公衆移動通信網（ＰＬＭＮ）選択を実行しないことを特徴とする実施形態１１または１２に記載のＷＴＲＵ。
【００７６】
１４．ＷＴＲＵは、ＷＴＲＵが低電力状態に入るとき、ＷＴＲＵに割り当てられる仮移動体加入者識別番号（ＴＭＳＩ）またはパケットＴＭＳＩ（Ｐ−ＴＭＳＩ）を削除するように構成されることを特徴とする実施形態１１乃至１３のいずれか１つに記載のＷＴＲＵ。
【００７７】
１５．無線送受信ユニット（ＷＴＲＵ）において実行される方法であって、
ＷＴＲＵが無線ネットワークにアタッチされていない間、トリガイベントについて無線ネットワークのセルのブロードキャストチャネルをモニタするステップを備えることを特徴とする方法。
【００７８】
１６．ブロードキャストチャネルがモニタされている間、トリガイベントが検出されるという条件下で、無線ネットワークへのＷＴＲＵのアタッチを開始するステップを備えることを特徴とする実施形態１５に記載の方法。
【００７９】
１７．トリガイベントは、マシンツーマシン（Ｍ２Ｍ）サーバにデータを送信するために、ＷＴＲＵが無線ネットワークにアタッチすることに関するリクエストを含むことを特徴とする実施形態１５および１６の１つに記載の方法。
【００８０】
１８．トリガイベントは、システム情報ブロック（ＳＩＢ）メッセージに含められることを特徴とする実施形態１５乃至１７のいずれか１つに記載の方法。
【００８１】
１９．無線送受信ユニット（ＷＴＲＵ）において実行される方法であって、
ＷＴＲＵが無線ネットワークにアタッチされていない間、無線ネットワークに提供される長さを有する間隔で、トリガイベントについて無線ネットワークのセルのページングチャネルをモニタするステップを備えることを特徴とする方法。
【００８２】
２０．ページングチャネルがモニタされている間、トリガイベントが検出されるという条件下で、無線ネットワークへのＷＴＲＵのアタッチを開始するステップをさらに備えることを特徴とする実施形態１９に記載の方法。
【００８３】
２１．間隔は、ＷＴＲＵが無線ネットワークにいまだにアタッチされている間、スリープモードに入るためにＷＴＲＵに割り当てられる不連続受信（ＤＲＸ）間隔より長い、ＤＲＸ周期間隔であることを特徴とする実施形態１９または２０に記載の方法。
【００８４】
２２．デタッチリクエストメッセージにおいて、無線ネットワークに、間隔の長さに関する情報を送信するステップをさらに備え、
無線ネットワークは、発展型パケットシステム（ＥＰＳ）であることを特徴とする実施形態１９乃至２１のいずれか１つに記載の方法。
【００８５】
２３．国際移動体加入者識別番号（ＩＭＳＩ）デタッチインジケーションメッセージにおいて、無線ネットワークに間隔の長さに関する情報を送信するステップをさらに備え、
無線ネットワークは、回線交換ネットワークであることを特徴とする実施形態１９乃至２２のいずれか１つに記載の方法。
【００８６】
２４．トラッキングエリア更新プロシージャ、ルーティングエリア更新プロシージャおよびロケーションエリア更新プロシージャの少なくとも１つの間、ＷＴＲＵが無線ネットワークからデタッチするときに適用されることになる新たなＤＲＸ情報として、無線ネットワークに、間隔の長さに関する情報を送信するステップをさらに備えることを特徴とする実施形態１９乃至２３のいずれか１つに記載の方法。
【００８７】
特徴および要素が、特定の組み合わせで説明されたが、当業者は、それぞれの特徴または要素を単独で、または他の特徴および要素とのいずれもの組み合わせで使用することができることを理解されるであろう。さらに、本明細書で説明した方法は、コンピュータまたはプロセッサによって実行するためのコンピュータ可読媒体に組み込まれるコンピュータプログラム、ソフトウェアまたはファームウェアの形式で実装されてもよい。コンピュータ可読媒体の例は、電子信号（有線または無線接続上で送信される）およびコンピュータ可読記憶媒体を含む。コンピュータ可読記憶媒体の実施例は、リードオンリメモリ（ＲＯＭ）、ランダムアクセスメモリ（ＲＡＭ）、レジスタ、キャッシュメモリ、半導体記憶装置、内蔵ハードディスクおよびリムーバブルディスクなどの磁気媒体、磁気光学媒体、ならびにＣＤ−ＲＯＭディスクおよびデジタル多用途ディスク（ＤＶＤ）などの光学媒体を含むが、これらに限定されない。ソフトウェアと関連するプロセッサは、ＷＴＲＵ、ＵＥ、端末、基地局、ＲＮＣまたはいずれものホストコンピュータ中で使用するための無線周波数送受信機を実装するために、使用されてもよい。
【図１Ａ】
0006002819.tif 000002
【図１Ｂ】
0006002819.tif 000003
【図１Ｃ】
0006002819.tif 000004
【図２】
0006002819.tif 000005
【図３】
0006002819.tif 000006
【図４】
0006002819.tif 000007
【図５】
0006002819.tif 000008
【図６】
0006002819.tif 000009
【図７】
0006002819.tif 000010